(57)【特許請求の範囲】
【請求項１】
底面と前面が開放されたキャビネットと、該キャビネットに対して昇降可能に支持される昇降ラックとを備え、キッチンの上方に設置される昇降式吊戸棚において、
前記キャビネットの前面に配置される扉部材と、
前記扉部材を昇降させる牽引部と、
前記扉部材の両側縁それぞれに配置された、被案内部を有する連結金具と、
前記キャビネットの両側壁それぞれに配置された、前記被案内部を案内するガイドを有するガイド金具とを備え、
さらに、前記連結金具と前記ガイド金具との隙間に配置されたスペーサ部材を備えることを特徴とする昇降式吊戸棚。
【請求項２】
前記ガイドは前記ガイド金具に設けられた溝であって、
前記被案内部は前記ガイドに嵌合するプーリであることを特徴とする請求項１記載の昇降式吊戸棚。
【請求項３】
前記スペーサ部材は、前記連結金具と前記ガイド金具との隙間と略等しい厚みを備え、前記扉部材が昇降する際には、前記スペーサ部材は前記連結金具または前記ガイド金具と接触摺動することを特徴とする請求項１記載の昇降式吊戸棚。
【請求項４】
前記スペーサ部材は、少なくとも前記ガイドより前面側と、前記ガイドより背面側とに配置されることを特徴とする請求項１記載の昇降式吊戸棚。
【請求項５】
前記ガイドより前面側に配置されたスペーサ部材は前記連結金具と前記ガイド金具との隙間と略等しい厚みを備え、
前記ガイドより背面側に配置されたスペーサ部材は前記隙間よりも若干薄い厚みを備えていることを特徴とする請求項４記載の昇降式吊戸棚。
【請求項６】
前記スペーサ部材は、樹脂製のブロック材であることを特徴とする請求項１記載の昇降式吊戸棚。
【請求項７】
前記ガイドは、前記被案内部をその停止位置から上に行くに従って前記キャビネットの前方に向かって案内する傾斜部と、
前記傾斜部に連続してほぼ鉛直方向に案内する直線部とを備えていることを特徴とする請求項１記載の昇降式吊戸棚。
【発明の詳細な説明】
【技術分野】
【０００１】
本発明は、キッチンの上方に設置される昇降式吊戸棚に関する。
【背景技術】
【０００２】
厨房において、キッチン等の調理設備の上部には空間が空いているため、キッチンの上方に吊戸棚を設置している場合が多い。厨房では、碗、皿、カップ等の食器類、鍋、フライパン等の調理器具、塩、胡椒等の調味料など、大小様々な物を使用する。このため、これらの食器類、調理器具、調味料等は上記吊戸棚に収納される。
【０００３】
また、生活様式や食生活の多様化に伴って、上記した食器類、調理器具、調味料等は増加傾向にある。さらに昨今の高齢化に伴い、上記吊戸棚の使い勝手の良さや便利さ等を求める要望もある。
【０００４】
そこで、通常は上方に位置する棚（ラック）を手動や電動によって昇降する昇降式吊戸棚が提案されている。ラックを昇降させる方式は様々な構成のものが提案されているが、なかでもキャビネットと、このキャビネットからほぼ垂直方向に昇降可能な昇降ラックを備えた構成が提案されている（例えば特許文献１）。
【０００５】
しかし昇降ラックを垂直方向に昇降させる構成においては、昇降ラックの全面を露出させるために、昇降ラック全体をキャビネット下方に下げるだけのストロークがキャビネットの下方に必要である。そこで従来からも、キャビネットの前面扉を昇降ラックの上下動と連動させて開閉し、昇降ラックを降ろした状態において昇降ラックの上端がキャビネットの下端よりも上にある構成が開示されている（例えば特許文献２）。この構成によれば、前面扉に隠れるはずの位置からも出し入れすることができるため、昇降ラックの高さを高くすることができ、限られた高さの上方空間において容積の大きな昇降ラックを設置することができる。
【特許文献１】特開２００６−０００６７７号公報
【特許文献２】特開２００６−３４０７５６号公報
【発明の開示】
【発明が解決しようとする課題】
【０００６】
しかし特許文献２に記載の構成にあっては、扉の下端が回動して開く構成であるため、前面の開放スペースは小さい。このため、特に昇降ラックの上段は鍋や箱物などの大きなものを出し入れしにくいという問題がある。扉をさらに大きく開くことも考えられるが、吊戸棚の前方に大きく扉が張り出すことになるため、頭上に前板が迫ってくることとなり、圧迫感を与えるおそれがある。
【０００７】
また、扉が移動する構成とした場合、扉のがたつきが問題となる。吊戸棚は比較的大きい割にはキャビネットの剛性は高くなく、全体的なゆがみが生じやすい。特に建物の壁面に取り付けたとき、壁面のゆがみがキャビネットに転写される。このため、過度に部材同士のクリアランスを高めるとゆがみによって部材同士が噛み合ってしまい、動作不良（扉の移動に生じる支障）に陥るおそれがある。一方、遊びが大きくなれば必然的にがたつきが生じ、動作時の異音発生や不安定感、そしてやはり動作不良の原因となるおそれがある。
【０００８】
そこで本発明は、昇降ラックを下げるストロークを短くして容積の増大を図りつつ、可動部材である扉のがたつきを最小限に留めた昇降式吊戸棚を提供することを目的としている。
【課題を解決するための手段】
【０００９】
上記課題を解決するために、本発明にかかる昇降式吊戸棚の代表的な構成は、底面と前面が開放されたキャビネットと、該キャビネットに対して昇降可能に支持される昇降ラックとを備え、キッチンの上方に設置される昇降式吊戸棚において、キャビネットの前面かつ上方に配置される上扉と、キャビネットの前面かつ下方に配置される扉部材と、扉部材を昇降させる牽引部と、扉部材の両側縁それぞれに配置された、被案内部を有する連結金具と、キャビネットの両側壁それぞれに配置された、被案内部を案内するガイドを有するガイド金具とを備え、さらに、連結金具とガイド金具との隙間に配置されたスペーサ部材を備えることを特徴とする。
【００１０】
上記構成によれば、キャビネットに取り付けられたガイド部材と、扉部材に取り付けられた連結金具との間にスペーサ部材を設けたことにより、キャビネットのゆがみを許容しつつ、これらのがたつきを最小限に留めることができる。
【００１１】
ガイドはガイド金具に設けられた溝であって、被案内部はガイドに嵌合するプーリであることを特徴とする。このような構成とすることにより、ガイド金具と連結金具とは平行に移動するため、スペーサ部材によって有効にがたつきを吸収することができる。
【００１２】
スペーサ部材は、連結金具とガイド金具との隙間と略等しい厚みを備え、扉部材が昇降する際には、スペーサ部材は連結金具またはガイド金具と接触摺動するよう構成してもよい。
【００１３】
さらにスペーサ部材は、少なくともガイドより前面側と、ガイドより背面側とに配置されていてもよい。これにより、左右方向のがたつきのみでなく、斜変形も防止することができるため、より剛性を向上させることができる。
【００１４】
このとき、ガイドより前面側に配置されたスペーサ部材は連結金具とガイド金具との隙間と略等しい厚みを備え、ガイドより背面側に配置されたスペーサ部材は隙間よりも若干薄い厚みを備えていてもよい。前面側では正確にがたつきを防止し、背面側では少し遊びを持たせることにより、組立性を向上させることができる。
【００１５】
スペーサ部材は、樹脂製のブロック材によって形成することができる。樹脂材料の例としては、ポリプロピレン、ポリカーボネート、ポリアセタールなどの摺動性の低い結晶性樹脂を好適に用いることができる。
【００１６】
ガイドは、被案内部をその停止位置から上に行くに従ってキャビネットの前方に向かって案内する傾斜部と、傾斜部に連続してほぼ鉛直方向に案内する直線部とを備えていてもよい。上記構成によれば、扉部材を上方へと移動するに伴い、傾斜部によってまずキャビネット前方へと移動し、次にキャビネットの前方側に沿って上昇する。したがって扉部材の前面側への張り出し量を最小限にすることができる。
【発明の効果】
【００１７】
本発明によれば、昇降ラックを下げるストロークを短くして容積の増大を図りつつ、可動部材である扉のがたつきを最小限に留めた昇降式吊戸棚を提供することができる。
【発明を実施するための最良の形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。なお、以下の実施形態に示す寸法、材料、その他具体的な数値などは、発明の理解を容易とするための例示に過ぎず、特に断る場合を除き、本発明を限定するものではない。
【００１９】
本実施形態では、キッチン用昇降式吊戸棚（以下「吊戸棚」と略称する）の昇降ラックと、昇降ラックの前面を塞ぐ下扉とを連動させ、両装置を互いに逆方向に移動させている。従って、昇降ラックの下降ストロークを長くしなくとも前面の開放スペースを十分に確保することができる。そして下扉は、上昇する際に上扉の下端を回り込み、その表面に沿って上昇する点に特徴を有している。ここでは、本実施形態の理解を容易にするため、まず吊戸棚の配置および駆動機構について説明し、その後で本実施形態の特徴を詳述する。
【００２０】
図１は、本実施形態のシステムキッチンと吊戸棚との位置関係を示した斜視図である。システムキッチン１００は調理に必要な火（加熱）や水を中心に調理器具がその大きさに応じて各収納庫に配されている。吊戸棚１１０は、システムキッチン１００の上方に設置されているが、高所にある扉を開閉することなく、収納部分をキッチン使用者の目の高さまで下ろし、前方に手を伸ばして被収納物を収納または取り出せるようにしたものである。
【００２１】
上記システムキッチン１００は、シンク１３０、調理スペース１４０およびコンロ１５０の概ね３つの部位で構成されている。かかるシステムキッチン１００のうち、シンク１３０および調理スペース１４０の幅にわたる領域の上方において、吊戸棚１１０は、壁５００に背面を固定支持されている。一方、火気を扱うコンロ１５０の上方には、吊戸棚１１０に隣接して、レンジフード１６０が吊戸棚同様に壁５００に固定支持されている。
【００２２】
吊戸棚１１０は、下方が開放されたキャビネット１７０と、キャビネット１７０の下方にてキャビネット１７０の内外へ昇降する昇降ラック１８０とを含む。昇降ラック１８０は収納部を有し、前面の大部分が開放されていて、食器や台所回りの物品を出し入れすることができる。
【００２３】
本実施形態において、キャビネット１７０の前面には、扉部材として、上方に配置される上扉１７２と、下方に配置される下扉１７４とを備えている。そして昇降ラック１８０が下降してキャビネット１７０の下方に出現するとき、これと連動して下扉１７４が上方へ移動する。従って、昇降ラック１８０の上端がキャビネット１７０の下端より下降せずとも、昇降ラック１８０の開放前面は使用者の目の前に出現する。かかる構成により昇降ラック１８０の可動範囲を狭くすることができ、昇降動作時間を短縮したり、昇降ラック１８０の高さ方向の寸法を大きくして容積増大を図ったりすることができる。以下に昇降ラック１８０と、下扉１７４とを連動させる駆動機構について説明する。
【００２４】
（昇降ラックの駆動機構）
図２は、昇降ラック１８０の駆動機構を示した図である。ここでは、主として昇降ラック１８０の昇降動作を説明するため吊戸棚１１０前面側から観察している。また、理解を容易にするため図２では下扉１７４の図示を省略している。
【００２５】
まず、駆動モータ１９０の回転によって、水平方向左右に駆動プーリ１９２から２条の幅広索体２００が巻き出される。この幅広索体２００は、キャビネット１７０の両側板の近傍に固定設置され定滑車として機能する転向滑車２１０によって垂直方向に転向され、端部はそれぞれ昇降ラック１８０に固定され動滑車として機能する昇降滑車２１２を巻回して、キャビネット１７０の上方に固定されている。従って、駆動モータ１９０を回転駆動することによって昇降ラック１８０を昇降することができる。ここで、索体は縄に限らず帯も含む。
【００２６】
こうして昇降ラック１８０が降下すると下扉１７４（図示せず）の背面から収納部２２０が出現する。
【００２７】
（下扉の駆動機構）
図３は、昇降ラック１８０に連動する下扉１７４の駆動機構（牽引部）を示した図である。かかる図３は、吊戸棚１１０を側面から観察している。ここで、下扉１７４は、図２で示した昇降ラック１８０にさらに連動して昇降する。
【００２８】
図３（ａ）は、昇降ラック１８０がキャビネット１７０に収納されている状態を示している。昇降ラック１８０と下扉１７４との間には定滑車としての下扉用滑車２５０が固定設置される。下扉用滑車２５０は、２つのリール（第１リール２５２、第２リール２５４）が連結され軸を等しくして回転自在に軸支されている。そして、第１リール２５２には昇降ラック１８０を懸垂する第１索体２６０が巻回され、第２リール２５４には下扉１７４を懸垂する第２索体２６２が巻回されている。
【００２９】
ここで、昇降ラック１８０と下扉１７４とをそれぞれ懸垂する第１索体２６０および第２索体２６２は、リールに対して互いに逆回転に巻回されているので、昇降ラック１８０または下扉１７４の一方が上昇すると他方が連動して自重により下降する。
【００３０】
図３（ｂ）は、昇降ラック１８０がキャビネット１７０から抜出（下降）した状態を示している。昇降ラック１８０がガイドレール２６４に案内されつつ下降すると第１索体２６０が第１リール２５２を引っ張り、第１リール２５２と連結している第２リール２５４は回転軸２５６を中心に第１リール２５２と同一の角度分だけ回転する。そして、第２リール２５４の巻張力により第２索体２６２に接続された連結金具２６６と下扉１７４が上昇する。従って、昇降ラック１８０の下降に応じて下扉１７４が上昇し、その移動量の和が昇降ラック１８０の開放スペースとなるので、下降ストロークを長くしなくとも昇降ラック１８０前面の開放スペースを十分に確保することが可能となる。
【００３１】
（下扉のガイド機構）
次に、下扉のガイド機構と動作について説明する。図４は下扉のガイド機構を説明する図である。
【００３２】
図４（ａ）は、ガイド機構を説明するための分解図である。下扉１７４の両側縁の背面には、連結金具２６６に下扉１７４を取り付けるための扉駆動金具１７６がそれぞれ取り付けられている。連結金具２６６には被案内部である上コロ２６８と下コロ２７０が設けられている。また連結金具２６６の上端には、第２索体２６２を取り付けるための吊下部２７２が設けられている。キャビネット１７０の両側壁それぞれにはガイド金具２８０が設けている。このガイド金具２８０には上コロ２６８を案内する上ガイド２８２と、下コロ２７０を案内する下ガイド２８４とを設けている。またガイド金具２８０には、後述する収容機構３９０を備えている。
【００３３】
ガイド金具２８０は板状体であって、上ガイド２８２および下ガイド２８４はガイド金具に設けられた長穴である。上ガイド２８２および下ガイド２８４の下端にはそれぞれ大径部２８２ａ、２８４ａが形成されており、上コロ２６８および下コロ２７０の頭を挿入することができる。上コロ２６８および下コロ２７０は端面に溝を有する糸巻き状のプーリーであって、上ガイド２８２および下ガイド２８４の長穴の縁に嵌合することによって移動を案内される。
【００３４】
また、上ガイド２８２および下ガイド２８４は、上コロ２６８または下コロ２７０の停止位置（ほぼ下端の位置）から上に行くに従ってキャビネット１７０の前方に向かって案内する傾斜部２８２ｂ、２８４ｂと、傾斜部２８２ｂ、２８４ｂに連続してほぼ鉛直方向に案内する直線部２８２ｃ、２８４ｃとを備えている。
【００３５】
上ガイド２８２および下ガイド２８４が上記形状をしていることにより、下扉１７４を上方へと移動するに伴い、下扉１７４は傾斜部２８２ｂ、２８４ｂによってまずキャビネット前方へと移動し、次に直線部２８２ｃ、２８４ｃによって上扉１７２の前方側に沿って上昇する。これにより下扉１７４が上扉１７２の下端を回り込み、その表面に沿うように上昇することができる。
【００３６】
図４（ｂ）はガイド機構の組立図である。上コロ２６８および下コロ２７０は上ガイド２８２および下ガイド２８４にその頭を嵌合させ、スライド移動可能になっている。連結金具２６６の吊下部２７２には第２索体２６２が取り付けられ、懸垂されることにより下扉１７４は停止している。この停止位置から第２索体２６２が上方に連結金具２６６を牽引することにより、上コロ２６８および下コロ２７０が上ガイド２８２および下ガイド２８４に案内されながら、下扉１７４が上昇する。
【００３７】
（がたつき防止機構）
図５は下扉のガイド機構を説明する斜視図である。図４および図５に示すように、本実施形態においては、連結金具２６６とガイド金具２８０との隙間に、スペーサ部材２８６、２８８を備えている。図５は連結金具２６６およびガイド金具２８０の構成を説明する斜視図である。スペーサ部材２８６は連結金具２６６のガイド金具側に取り付け固定され、ガイド（上ガイド２８２および下ガイド２８４）よりも背面側に配置されている。スペーサ部材２８８はガイド金具２８０の連結金具側に取り付け固定され、ガイドよりも前面側に配置されている。なおスペーサ部材２８６、２８８はいずれも、連結金具２６６またはガイド金具２８０のどちらに取り付けてもよい。
【００３８】
スペーサ部材２８６、２８８は、連結金具２６６とガイド金具２８０との隙間と略等しい厚みを備えた樹脂製のブロック材である。そして下扉１７４が昇降する際には、スペーサ部材２８６は、２８８は連結金具２６６またはガイド金具２８０と接触摺動するよう構成している。
【００３９】
上記構成によれば、連結金具２６６とガイド金具２８０が直接摺動していないため、キャビネット１７０にゆがみが生じた場合であってもこれらが噛み合ってしまうことがない。それにもかかわらずこれらの隙間をスペーサ部材２８６、２８８によって埋めることができることから、すなわちキャビネットのを許容しつつ、下扉１７４のがたつきを最小限に留めることができる。
【００４０】
特に上ガイド２８２および下ガイド２８４がガイド金具２８０に設けられた溝であって、上コロ２６８および下コロ２７０がプーリであることから、連結金具２６６とガイド金具２８０とは平行移動である。したがって、上記構成のスペーサ部材２８６、２８８によって有効にがたつきを吸収することができる。
【００４１】
またスペーサ部材をガイド（上ガイド２８２および下ガイド２８４）の前面側と背面側の両方に配置したことにより、左右方向のがたつきのみでなく、斜変形も防止することができるため、より剛性を向上させることができる。このとき、ガイドより前面側に配置されたスペーサ部材２８８は隙間と略等しい厚みとし、背面側に配置されたスペーサ部材２８６は隙間よりも若干薄い厚みとしてもよい。これにより前面側では正確にがたつきを防止し、背面側では少し遊びを持たせることにより、組立性を向上させることができる。
【００４２】
なおスペーサ部材２８６、２８８は樹脂材料を用いることができ、その具体例としてはポリプロピレン、ポリカーボネート、ポリアセタールなどの摺動性の低い結晶性樹脂を好適に用いることができる。
【００４３】
図６は下扉の動作を説明する図であって、図４（ｂ）のガイドの形状を参照しながら下扉の動作を説明する。
【００４４】
図６（ａ）は停止位置にある状態を示している。この状態から第２索体２６２に牽引されることにより、下扉１７４は始動する。このとき図４（ｂ）に示すように、上ガイド２８２の傾斜部２８２ｂの方が、下ガイド２８４の傾斜部２８４ｂよりも鉛直線に対する傾きが大きい。これにより、図６（ｂ）に示すように、下扉１７４の下端より上端の方が先にキャビネット前方へと移動を開始する。そして図６（ｃ）に示すように下扉１７４の上端が上扉１７２の下端よりも前方へと移動したところで、上コロ２６８および下コロ２７０は直線部２８２ｃ、２８４ｃに至り、図６（ｄ）に示すように上昇が開始される。そして直線部２８２ｃ、２８４ｃの上端まで上昇すると、図６（ｅ）に示すように下扉１７４の上側と上扉１７２の下側とが重なった状態となる。
【００４５】
図７は、下扉１７４、連結金具２６６、上コロ２６８、下コロ２７０の軌跡を説明する図である。図７を参照すれば、下扉１７４の上端が上扉１７２の下端を回り込み、そして下扉１７４は上扉１７２の表面に沿って上昇することがわかる。
【００４６】
上コロ２６８および下コロ２７０が直線部２８２ｃ、２８４ｃに到った後は、下扉１７４の姿勢（傾斜角度）には変化がないまま上昇する。ここで図４（ｂ）に示すように、上ガイド２８２における上コロ２６８の停止位置から直線部２８２ｃまでの水平距離を張り出し幅ｗ１、下ガイド２８４における下コロ２７０の停止位置から直線部２８４ｃまでの水平距離を張り出し幅ｗ２とする。そして本実施形態においては、上ガイドの張り出し幅ｗ１は、下ガイドの張り出し幅ｗ２よりも長く設定している。
【００４７】
これにより下扉１７４は上端の方がより多くキャビネット前方に張り出した傾き状態で上昇し、停止している間はその姿勢が保持される。これにより、ユーザの頭上に最大限に広いスペースを確保することができ、下扉によって圧迫感をあたえることを防ぐことができる。
【００４８】
下扉１７４が閉じるとき、すなわち昇降ラック１８０が上昇するときは、下扉１７４は図６に示した上昇過程を逆に辿って下降し、上扉１７２の下方に収納される。このとき収容機構３９０の動作により、最後まで確実に閉じられる。
【００４９】
収容機構３９０の構成と動作について説明する。図４（ａ）に示すように、収容機構３９０はガイド金具２８０の上部に設けられ、ガイド金具２８０に中途部を回転自在に軸支されたアーム３９０ａと、アームの一端に設けられたコロ３９０ｂと、コロ３９０ｂをキャビネット内側に向かって付勢するバネ３９０ｃ（付勢手段）とを備えている。一方、連結金具２６６には収容機構３９０のコロ３９０ｂが走行するための収容ガイド２６６ａが設けられている。収容ガイド２６６ａは断面コの字状の溝形状であって、コロ３９０ｂがその側壁に当接することにより、連結金具２６６をキャビネット内側に向かって付勢することができる。
【００５０】
下扉１７４が上述のように上昇するとき、図６に示すように、コロ３９０ｂが収容ガイド２６６ａの側壁に当接していることから、収容機構３９０はバネ３９０ｃの付勢力に抗して回転する。なお、上コロ２６８および下コロ２７０が直線部にあるとき、収容機構３９０の付勢力がガイド溝の方向とほぼ直交するため、上昇力を妨げるおそれはない。そして下扉１７４が閉じるとき、特に上コロ２６８、下コロ２７０が傾斜部２８２ｂ、２８４ｂにあるときには、収容機構３９０のバネ３９０ｃの付勢力は下扉１７４を収容する方向に作用する。
【００５１】
ここで、仮に自重のみによって下扉１７４を閉じようとするとき、上コロ２６８および下コロ２７０が傾斜部２８２ｂ、２８４ｂにあるときは分力になるため収容する方向の力が弱くなる。このため下扉１７４は最後まで閉じられず、上扉１７２より少し浮いた状態で移動が終了してしまうおそれがある。しかし上記構成の収容機構３９０を設けたことにより、特に連結金具２６６の上端をキャビネット１７０の内側に向かって付勢することから、確実に下扉１７４を上扉１７２の下方に収容することができる。
【００５２】
以上、説明したように本実施形態における吊戸棚１１０は、昇降ラック１８０の下降ストロークを長くしなくとも前面の開放スペースを十分に確保することが可能となり、昇降ラックを下げるストロークを短くして容積の増大を図ることができる。また連結金具とガイド金具との隙間にスペーサ部材を配置したことにより、可動部材である扉のがたつきを最小限に留めることができ、キッチン用昇降式吊戸棚の使い勝手を向上することができる。
【００５３】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５４】
本発明は、キッチンの上方に設置される昇降式吊戸棚として利用することができる。
【図面の簡単な説明】
【００５５】
【図１】本実施形態のシステムキッチンと吊戸棚との位置関係を示した斜視図である。
【図２】昇降ラックの駆動機構を示した図である。
【図３】昇降ラックに連動する下扉の駆動機構を示した図である。
【図４】下扉のガイド機構を説明する図である。
【図５】下扉のガイド機構を説明する斜視図である。
【図６】下扉の動作を説明する図である。
【図７】下扉等の軌跡を説明する図である。
【符号の説明】
【００５６】
１００…システムキッチン、１１０…吊戸棚、１３０…シンク、１４０…調理スペース、１５０…コンロ、１６０…レンジフード、１７０…キャビネット、１７２…上扉、１７４…下扉、１７６…扉駆動金具、１８０…昇降ラック、１９０…駆動モータ、１９２…駆動プーリ、２００…幅広索体、２１０…転向滑車、２１２…昇降滑車、２２０…収納部、２５０…下扉用滑車、２５２…第１リール、２５４…第２リール、２５６…回転軸、２６０…第１索体、２６２…第２索体、２６４…ガイドレール、２６６…連結金具、２６８…上コロ、２７０…下コロ、２７２…吊下部、２８０…ガイド金具、２８２…上ガイド、２８２ａ…大径部、２８２ｂ…傾斜部、２８２ｃ…直線部、２８４…下ガイド、２８４ａ…大径部、２８４ｂ…傾斜部、２８４ｃ…直線部、２８６…スペーサ部材、２８８…スペーサ部材、３９０…収容機構、３９０ａ…アーム、３９０ｂ…コロ、３９０ｃ…バネ、５００…壁
【図１】
0004994132.tif 000002
【図２】
0004994132.tif 000003
【図３】
0004994132.tif 000004
【図４】
0004994132.tif 000005
【図５】
0004994132.tif 000006
【図６】
0004994132.tif 000007
【図７】
0004994132.tif 000008